(57)【要約】      （修正有）【課題】ドリンクホルダーによりドリンクを適温にすると共に、このドリンクホルダーを他の用途にも使用することが可能なドリンクホルダーを提供する。【解決手段】ドリンクＰを収納するドリンクホルダーであって、ドリンクを収納して温度調整する収納保温体１０と収納保温体を備え付ける筐体２０とを有する。収納保温体は、ドリンクを加熱・冷却するペルチェ素子１１と、ドリンクの重量を感知する重量センサー１２とを備え、収納保温体からドリンクが除去されると自動的に電源がＯＦＦになる。また、筐体にモバイル端末Ｔを支持する端末支持部２１を設ける。筐体のサイズを、遊戯店のテーブルの灰皿を覆うサイズに形成し、筐体を遊戯店のテーブルに据え付ける。【選択図】図２
0003226013.tif 000002
【実用新案登録請求の範囲】
【請求項１】
ペットボトル又は缶に入ったドリンクを収納して加熱・冷却による温度調整をするドリンクホルダーにおいて、ドリンクを収納して温度調整する収納保温体と、該収納保温体を備え付ける筐体と、該筐体に設けられモバイル端末を支持する端末支持部と、を有することを特徴とするドリンクホルダー。
【請求項２】
前記筐体は、遊戯店のテーブルに設けられている灰皿を覆うサイズに形成され、前記筐体を遊戯店のテーブルに据え付けるように構成した請求項１記載のドリンクホルダー。
【請求項３】
前記筐体の底部に収納凹部が形成され、遊戯店の前記テーブルに設けられている前記灰皿の開口周囲縁を収納するように構成した請求項２記載のドリンクホルダー。
【請求項４】
前記収納保温体は、前記ドリンクを加熱・冷却するペルチェ素子と、前記ドリンクの重量を感知する重量センサーとを備え、前記収納保温体から前記ドリンクが除去されると自動的に電源がＯＦＦになるように構成した請求項１記載のドリンクホルダー。
【請求項５】
前記収納保温体の電力供給は、ＵＳＢケーブルを介して供給され、該ＵＳＢケーブルは、前記筐体の底部に連結される請求項１又は２記載のドリンクホルダー。
【考案の詳細な説明】
【技術分野】
【０００１】
本考案は、ペットボトルや缶などの容器に入った飲み物（以下、ドリンクと称する）の温度を適温に保つと共に、スマートフォン等のモバイル端末を立て掛けながら使用することなどができるドリンクホルダーに関する。
【背景技術】
【０００２】
飲み物の温度を適温に保つことができる各種のドリンクホルダーが提案されている。例えば、特許文献１に記載のドリンクホルダーは、重量スイッチを備え、ドリンクを置くと通電してペルチェ素子がドリンクの温度を適温に保つように構成した保温装置である。
【０００３】
このペルチェ素子は、電圧を加えると片面が冷却状態になると共に、反対面が加熱状態になり、電圧の極性を逆転させると、冷却面と加熱面も逆転するという特性を持つ。
【０００４】
そして、保温装置の中に置いたドリンクの温度に合わせて保温し、あるいは冷却するといった選択ができるように構成したものである。
【先行技術文献】
【特許文献】
【０００５】
【特許文献１】特開２００３−３０４９７７号公報
【考案の概要】
【考案が解決しようとする課題】
【０００６】
ところが、特許文献１のような従来のドリンクホルダーには、ドリンクの温度を適温に保つことは可能でも、他の用途に使用することはできない構成であった。
【０００７】
例えばスマートフォン等のモバイル端末は、使用頻度が極めて高く、常に使用者の片手を占有していることが多い。そのため、スマートフォンを使用しながらドリンクを飲んでいる場合がある。この場合、従来のドリンクホルダーでは、ドリンクを置くことは可能になるが、スマートフォンを置くことができないという不便があった。
【０００８】
一方、パチンコなどの遊戯店では、遊技機のテーブルに灰皿が設けられていることが多い。この灰皿は、遊戯店が禁煙になったときに撤去する必要がある。仮に、禁煙になった店内で灰皿が使用可能な状態で残っていると、誤って喫煙する可能性があることから、禁煙になった遊戯店では、テーブルから灰皿を撤去し、撤去後の跡を補修するなど、多くの改修作業が必用になる。
【０００９】
そこで本考案は上述の課題を解消すべく案出されたもので、ドリンクホルダーを他の用途にも使用可能にすることで、ドリンクホルダーの使用範囲を広げることができるドリンクホルダーの提供を目的とするものである。
【課題を解決するための手段】
【００１０】
上述の目的を達成すべく本考案における第１の手段は、ペットボトル又は缶に入ったドリンクＰを収納して加熱・冷却による温度調整をするドリンクホルダーにおいて、ドリンクＰを収納して温度調整する収納保温体１０と、該収納保温体１０を備え付ける筐体２０と、該筐体２０に設けられモバイル端末Ｔを支持する端末支持部２１と、を有するものである。
【００１１】
第２の手段の前記筐体２０は、遊戯店のテーブルＱに設けられている灰皿Ｒを覆うサイズに形成され、前記筐体２０を遊戯店のテーブルＱに据え付けるように構成したものである。
【００１２】
第３の手段は、前記筐体２０の底部に収納凹部２２が形成され、遊戯店の前記テーブルＱに設けられている前記灰皿Ｒの開口周囲縁Ｒ１を収納するように構成する。
【００１３】
第４の手段の前記収納保温体１０は、前記ドリンクＰを加熱・冷却するペルチェ素子１１と、前記ドリンクＰの重量を感知する重量センサー１２とを備え、前記収納保温体１０から前記ドリンクＰが除去されると自動的に電源がＯＦＦになるように構成したものである。
【００１４】
第５の手段において、前記収納保温体１０の電力供給は、ＵＳＢケーブル３０を介して供給され、該ＵＳＢケーブル３０は前記筐体２０の底部に連結されるものである。
【考案の効果】
【００１５】
本考案の請求項１に記載のごとく、ドリンクＰを収納して温度調整する収納保温体１０と、該収納保温体１０を備え付ける筐体２０と、該筐体２０に設けられモバイル端末Ｔを支持する端末支持部２１と、を備えたことにより、ドリンクＰを飲みながらモバイル端末Ｔを使用している場合に、ドリンクホルダーにドリンクＰやモバイル端末Ｔを任意に置くことができる。
【００１６】
請求項２、３に記載のように、筐体２０を遊戯店のテーブルＱに設けられている灰皿Ｒを覆うサイズに形成し、この筐体２０を遊戯店のテーブルＱに据え付けるように構成することで、遊戯店が禁煙になったときに、この筐体２０によって灰皿Ｒを隠すことが可能になる。したがって、禁煙の店内で灰皿Ｒを見ることで誤って喫煙するおそれがなくなる。しかも、筐体２０で灰皿Ｒの上に設置するだけで灰皿Ｒが隠れると同時に、灰皿Ｒの代わりにドリンクホルダーの使用ができるので、テーブルＱから灰皿Ｒを撤去するなどの作業は不要になり、極めて合理的な使用が可能になる。この結果、店舗の改修工事を不要にするといった用途にも使用可能になった。
【００１７】
請求項４に記載のとおり、収納保温体１０は、ドリンクＰの温度調整をするペルチェ素子１１と、ドリンクＰの重量を感知する重量センサー１２とを備え、収納保温体１０からドリンクＰが除去されると自動的に電源がＯＦＦになるように構成しているので、保温、保冷いずれの状態でも、ドリンクＰが持ち去られると自動的に電源が切れるので、極めて省エネ効果がある。特に、モバイル端末Ｔを使用しながらドリンクＰを飲んだり、あるいは遊戯店などでドリンクホルダーを使用したりしていると、スイッチのＯＦＦ操作を忘れる傾向が多くなるが、使用後は確実に電源をＯＦＦにすることができる。
【００１８】
請求項５のように、収納保温体１０の電力は、ＵＳＢケーブル３０を介して供給され、該ＵＳＢケーブル３０は筐体２０の底部に連結されているので、この筐体２０の底部が遊技場等のテーブルＱなどに固定されると、ＵＳＢケーブル３０は筐体２０の底部から外すことが困難になる。この結果、ＵＳＢケーブル３０の盗難防止に有効になる。
【００１９】
このように本考案によると、ドリンクホルダーによりドリンクを適温にすると共に、ドリンクホルダーを他の用途にも使用することが可能になり、ドリンクホルダーの使用範囲を広げることができるなどといった当初の目的を達成した。
【図面の簡単な説明】
【００２０】
【図１】本考案の一実施例を示す斜視図である。
【図２】本考案の一実施例を示す縦断面図である。
【図３】本考案の底部に設けた収納凹部を示す斜視図である。
【図４】遊戯店のテーブルに設けられている灰皿を示す斜視図である。
【図５】図４の灰皿に筐体を載せてテーブルに固定した状態を示す斜視図である。
【考案を実施するための形態】
【００２１】
本考案は、ペットボトル又は缶に入ったドリンクＰを収納して加熱・冷却により適温に保温するドリンクホルダーであり、収納保温体１０と筐体２０とを備える（図１参照）。収納保温体１０は、ドリンクＰを収納して温度調整する収納部位であり、筐体２０は、この収納保温体１０を備え付ける外殻部位である。
【００２２】
収納保温体１０は、ドリンクＰの温度調整をするペルチェ素子１１と、重量センサー１２とを備えている（図２参照）。そして、収納保温体１０からドリンクＰが除去されると自動的に電源がＯＦＦになるように構成したものである。
【００２３】
図示例では、保温用と保冷用とのスイッチを備えたスイッチ部１３が設けられており、ドリンクＰの温度に合わせて使用者が選択できるようにしている（図１参照）。そして、収納保温体１０内のドリンクＰが取り出されて一定の時間（例えば６０秒）が経過すると、重量センサー１２とタイマー（図示せず）が作動して収納保温体１０の電源がＯＦＦになる。
【００２４】
また、収納保温体１０の電力供給は、ＵＳＢケーブル３０を介して供給される（図５参照）。図示のＵＳＢケーブル３０は、筐体２０の底部に設けた電源コネクター１４にＵＳＢケーブル３０を連結する構成である（図３参照）。このような構成によると、筐体２０の底部を任意の場所、例えば遊戯店のテーブルＱ等に固定することで、ＵＳＢケーブル３０が外れなくなり盗難防止になる。
【００２５】
さらに、ＵＳＢケーブル３０にて電源を供給することで、例えばパチンコやスロットルなどで遊ぶ遊戯店に備えられているＵＳＢコネクターＳを利用することができる（図４参照）。この場合、複数のＵＳＢコネクターＳが設置されていると、収納保温体１０の電源供給と共に、モバイル端末Ｔに充電することも可能になる。
【００２６】
図示の収納保温体１０は、ペルチェ素子１１の一方の面に熱電導板１５を設け、この熱電導板１５でドリンクＰを囲むことでドリンクＰの温度を適温に調整している（図２参照）。この温度調整は、例えば保温時の温度を４５℃とし、保冷時の温度を８℃とする。尤も、この温度設定は任意に変更することが可能である。
【００２７】
また、ペルチェ素子１１の他方の面に放熱板１６を備え付けると共に、この放熱板１６に隣接するファン１７を設けている（図２参照）。このファン１７は、放熱板１６を介した外気を側面側から後面側に送風し、あるいは後面側から側面側に送風するもので、温度調整の効率を高めるように構成したものである。また、円筒状の熱電導板１５の側面に、湾曲したペルチェ素子１１で囲むようにして広く接触することで、ペルチェ素子１１の温度を効率よく熱電導板１５に伝えることができるようになる。
【００２８】
一方、筐体２０は、収納保温体１０を備え付けた外殻部位で、この筐体２０にモバイル端末Ｔを支持する端末支持部２１を設けている（図１参照）。
【００２９】
図示の端末支持部２１は、筐体２０の上面に凹部状の端末支持部２１を形成している。そして、この凹部にモバイル端末Ｔを差し込んで支持固定するものである（図２参照）。尚、端末支持部２１の形状は図示例に限られない。例えば筐体２０に突起状の端末支持部２１を設け、この突起でモバイル端末Ｔを挟持する構成など、任意の構成を選択することができる。
【００３０】
この筐体２０は、パチンコやスロットルなどで遊ぶ遊戯店のテーブルＱに据え付け可能なサイズに構成している（図５参照）。すなわち、遊戯店のテーブルＱに設けられている灰皿Ｒを覆うサイズに形成し、筐体２０を遊戯店のテーブルＱに据え付けることで、既存の灰皿Ｒを覆うと同時に、ドリンクホルダーの使用ができるように構成している。さらに、この筐体２０をテーブルＱに据え付けて固定することで、テーブルＱと一体化するので盗難防止になる。
【００３１】
図示例では、筐体２０に直径７０mmの収納保温体１０を設けることで、最大５００mlのドリンクＰを収納することが可能になる（図２参照）。また、筐体２０のサイズとして、奥行き１４０mm前後、幅９５mm前後に形成すると、遊戯店のテーブルＱに設けられている灰皿Ｒを覆いながら既存のテーブルＱに設置可能なサイズになる（図５参照）。尚、このような収納保温体１０のサイズや筐体２０のサイズや形状は図示例に限定されるものではない。例えば、より大きなサイズのドリンクＰを収納可能なサイズに変更することも可能である。
【００３２】
更に、筐体２０をテーブルＱに固定するために、筐体２０の底部に円形状の収納凹部２２を形成している（図３参照）。図示例では直径９０mm、深さ１０mmの収納凹部２２を形成している。そして、遊戯店のテーブルＱに設けられている灰皿Ｒの開口周囲縁Ｒ１をこの収納凹部２２に収納し、筐体２０の底部に設けた接着テープ２３によって筐体２０をテーブルＱに固定するものである（図５参照）。このとき、収納凹部２２のサイズ又は収納凹部２２の有無の選択、あるいは固定手段の変更等は任意である。
【００３３】
尚、本考案の構成は図示の構成に限定されるものではなく、本考案の要旨を変更しない範囲で自由に設計変更が行える。また、本考案の使用例も限定されるものではない。
【符号の説明】
【００３４】
Ｐ  ドリンク
Ｑ  テーブル
Ｒ  灰皿
Ｒ１  開口周囲縁
Ｓ  ＵＳＢコネクター
Ｔ  モバイル端末
１０  収納保温体
１１  ペルチェ素子
１２  重量センサー
１３  スイッチ部
１４  電源コネクター
１５  熱電導板
１６  放熱板
１７  ファン
２０  筐体
２１  端末支持部
２２  収納凹部
２３  接着テープ
３０  ＵＳＢケーブル
【図１】
0003226013.tif 000003
【図２】
0003226013.tif 000004
【図３】
0003226013.tif 000005
【図４】
0003226013.tif 000006
【図５】
0003226013.tif 000007